(57)【要約】      （修正有）【課題】狭い場所への進入や地面の凸凹にも対応出来、満遍なく草を刈ることが出来る草根切断回転刃を提供する。【解決手段】回転刃の円形基板をコンパクト化し、円形基板の下面外周部の垂直方向に根切り部、水平方向に草刈り刃部を対象に配置し、刃部は前後左右の配置換えが可能な対称な形状としたものである。【選択図】図２
0003162526.tif 000002
【実用新案登録請求の範囲】
【請求項１】
コンパクトな円形基板の下面の外周部に垂直及び水平方向に切断刃部を設けたことを特徴とする根切断回転刃。
【請求項２】
請求項１に記載の草根切断回転刃を構成している草刈り刃部において、刃部平面上の中点ａを通る直線Ａ−Ｂ対して対称な形状としたことを特徴とする刃物。
【請求項３】
請求項１に記載の草根切断回転刃を構成している根切り刃部において、刃部平面上の中点ｂを通る直線Ｅ−Ｆ対して対称な形状としたことを特徴とする刃物。
【考案の詳細な説明】
【技術分野】
【０００１】  本考案は、電動草刈り機に使用する回転刃に関するものである。
【背景技術】
【０００２】  土手、畦、山林、畑の草刈り等に使用されている電動草刈り機は、円形の回転刃を備え回転刃の回転で草を刈るようにしており、回転刃は基本的に円板の外周端縁に焼入れしたノコギリ形状の普通刃や超硬チップ刃を形成したものが知られている。その刃を回転させながら、地面に水平に押し当て前後左右に動かし草刈りを行っている。
【考案の開示】
【考案が解決しようとする課題】
【０００３】  その為に次のような問題があった。
従来は、地面に対して垂直な草を刈り取るため、回転刃を地面に水平に保ち、草刈り機本体を前後左右に動かしながら刈っていた。しかし、地面が凸凹したり斜めになっていたりあるいは草が倒れていたりする場合、操作が非常に困難となり、短く均一に刈り取ることが出来ず刈り残しが発生していた。また、刃部の一部が磨耗あるいは欠損した場合は新品の回転刃一式と取り替える必要があった。
【課題を解決するための手段】
【０００４】  本考案は、回転刃の円形基板をコンパクト化し、円形基板の下面外周部の垂直方向に根切り刃部、水平方向に草刈り刃部を対象に配置し、刃部は刃の平面上の中点を通る直線に対して対称な形状としたことを特徴とするものである。
【考案の効果】
【０００５】  回転刃がコンパクトなため、狭い場所への進入や地面の凸凹にも対応出来、満遍なく草を刈ることが出来る。【０００６】  また、根切り刃部を地面に押し付け回転移動させることにより、草の根ごと切断することが出来る。【０００７】  刃部が磨耗あるいは欠損した場合は、刃の形状が左右対象になっているため、摩耗及び欠損のない同刃の反対側の刃に配置換えすることにより、使用回数が従来の２倍以上となり低コスト化が実現できる。
【考案を実施するための最良の形態】
【０００８】  次に本考案の実施例について説明する。
本考案に係わる草刈り機用回転刃は［図１］に示すように草刈り機に取り付ける。草根切断回転刃は、［図２］に示すように円形基板１の下面の中心に回転軸取付け孔２を設け、根切り刃部５は円形基板１の下面から突出するように、草刈り刃４は刃固定部３の間の中間位置に取り付ける。それぞれの刃部は、円形基板１上で左右対称となるように設置し草根切断回転刃を形成する。【０００９】  刃固定部３は［図３］に示すように、円形基板１と一体化した突出構造とする。これらの材質は、衝撃に強く耐久性をもった超合金タイプの金属や焼入れ加工した金属等を用いる。【００１０】  草刈り刃部４は［図３］に示すように、刃部中央にネジ孔９設け、取付けボルト６を座金８、スプリングワッシャー７を介して締め付け、刃は円形基板１の外周よりはみ出た位置に配置する。草刈り刃部４の形状は，［図５］に示すように刃部平面上の中点ａを通る直線Ａ−Ｂに対して対象な形状としているため、刃の磨耗や欠損状態により刃の表側と裏側を反転させて配置したり、刃の向きを１８０度変えて配置することが出来る。【００１１】  根切り刃部５は［図４］に示すように、刃部中央にネジ孔１０を設け、スプリングワッシャー７を介し取付けボルト６で締め付け、簡単に根切り刃５の取り替えが出来る構造としている。根切り刃部５の形状は、［図６］に示すように刃部平面上の中点ｂを通る直線Ｅ−Ｆに対して対象な形状としているため、刃の磨耗や欠損状態により刃の上側と下側を反転させて配置することが出来る。【００１２】  円形基板１の寸法は、従来回転刃の半分以下である直径１００ｍｍ以内とし、地面の凸凹に対して刃部下面が地面と十分接触するコンパクトにしたものである。【００１３】  尚、本案は、根切り刃部３を円形基板１と一体構造としたものに限定されるものでなく、ロー付けあるいはボルト締めによる装着としても良い。
【図面の簡単な説明】
【００１４】
【図１】本考察の一つの実施の形態に係わる草刈り機の斜視図
【図２】同要部実施状態を示す草根切断回転刃の斜視図
【図３】同要部実施状態を示す草刈り刃部の取付けに関する斜視図
【図４】同要部実施状態を示す草刈り刃部の平面図
【図５】同要部実施状態を示す根切り刃部の取付けに関する斜視図
【図６】同要部実施状態を示す根切り刃部の平面図
【符号の説明】
【００１５】  １    円形基板
２    回転軸取付け孔
３    刃固定部
４    草刈り刃部
５    根切り刃部
６    取付けボルト
７    スプリングワッシャー
８    座金
９    ネジ孔
１０    ネジ孔
ａ    草刈り刃部平面図上の中点
ｂ    根切り刃部平面図上の中点
【図１】
0003162526.tif 000003
【図２】
0003162526.tif 000004
【図３】
0003162526.tif 000005
【図４】
0003162526.tif 000006
【図５】
0003162526.tif 000007
【図６】
0003162526.tif 000008
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
草刈り刃部４と根切り刃部５を組合せ一体化し、その２組を円形基板１の下面外周部に対称に設けたことを特徴とする草根切断回転刃。
【請求項２】
請求項１に記載の円形基板１に設けられた草刈り刃部４を、刃部平面上の中点ａを通る直線Ａ−Ｂに対して対称な形状としたことを特徴とする刃物。
【請求項３】
請求項１に記載の円形基板１に設けられた根切り刃部５を、刃部平面上の中点ｂを通る直線Ｅ−Ｆに対して対称な形状としたことを特徴とする刃物。
【手続補正書】
【提出日】平成22年6月18日(2010.6.18)
【手続補正１】
【補正対象書類名】実用新案登録請求の範囲
【補正対象項目名】請求項２
【補正方法】変更
【補正の内容】
【請求項２】
前記円形基板１に設けられた草刈り刃部４を、刃部平面上の中点ａを通る直線Ａ−Ｂに対して対称な形状としたことを特徴とする請求項１記載の草根切断回転刃。
【手続補正２】
【補正対象書類名】実用新案登録請求の範囲
【補正対象項目名】請求項３
【補正方法】変更
【補正の内容】
【請求項３】
前記円形基板１に設けられた根切り刃部５を、刃部平面上の中点ｂを通る直線Ｅ−Ｆに対して対称な形状としたことを特徴とする請求項１記載の草根切断回転刃。